(57)【要約】【課題】比較的安価な導電性ペーストからなる導電性ペースト層を有する導電帯部を備え、製造原価を低減することができるプラズマディスプレイパネル用光学フィルタを提供する。【解決手段】本発明によるプラズマディスプレイパネル（ＰＤＰ）用光学フィルタ１は、透明基材７と、透明基材７のＰＤＰ２側に設けられた電磁波シールド層４と、透明基材７と、電磁波シールド層４とを外方から囲んで保持するとともに、前面側に設けられた接地部５ａを有する金属フレーム５とを備えている。また、電磁波シールド層４と接地部５ａとの間に導電帯部１０が設けられている。この導電帯部１０は、導電性ペースト層１０ａを有している。【選択図】図１
2009092771.tif 000002
【特許請求の範囲】
【請求項１】
プラズマディスプレイパネルの前面に配置されるプラズマディスプレイパネル用光学フィルタにおいて、
基材と、
基材のプラズマディスプレイパネル側に設けられた電磁波シールド層と、
基材と、電磁波シールド層とを外方から囲んで保持するとともに、前面側に設けられた接地部を有する金属フレームと、
電磁波シールド層と金属フレームの接地部との間に延びる導電帯部と、を備え、
導電帯部は、導電性ペースト層を有することを特徴とするプラズマディスプレイパネル用光学フィルタ。
【請求項２】
導電帯部は、電磁波シールド層のプラズマディスプレイパネル側、基材と電磁波シールド層の側面、および基材の前面側に渡って延びていることを特徴とする請求項１に記載のプラズマディスプレイパネル用光学フィルタ。
【請求項３】
導電帯部は、電磁波シールド層の全周に渡って延びていることを特徴とする請求項１または２に記載のプラズマディスプレイパネル用光学フィルタ。
【請求項４】
導電帯部は、導電性ペースト層の外周面に電解メッキにより形成されたメッキ層を有することを特徴とする請求項１乃至３のいずれかに記載のプラズマディスプレイパネル用光学フィルタ。
【請求項５】
導電帯部は、金属フレームの接地部に、導電性ガスケットを介して接続されていることを特徴とする請求項１乃至４のいずれかに記載のプラズマディスプレイパネル用光学フィルタ。
【発明の詳細な説明】
【技術分野】
【０００１】
本発明は、プラズマディスプレイパネルの前面に配置されたプラズマディスプレイパネル用光学フィルタに係り、導電性ペースト層を有する導電帯部を備え、製造原価を低減することができるプラズマディスプレイパネル用光学フィルタに関する。
【背景技術】
【０００２】
近年、各種映像表示装置から発生される電磁波によって、電子機器や身体等への電磁気的なノイズ妨害が問題となっている。このうちプラズマディスプレイパネル（ＰＤＰ）は、作動すると電磁波が大量に発生する。このため、ＰＤＰの前面には、メッシュ状（格子状）に形成された導電層を含む電磁波シールド層が設けられている。この電磁波シールド層の導電層において、ＰＤＰから発生する電磁波が電荷に変換され、電磁波が遮蔽されるようになっている（例えば、特許文献１参照）。
【０００３】
この電磁波シールド層は、電気的に接地されている金属フレームに、導電性テープを介して接続さている。一般に、この導電性テープは、内部に導電性粒子等を含み導電性を有する導電性接合材と導電材とからなっている。この場合、電磁波シールド層に溜まった電荷は、導電性テープの導電性接合材を通って導電材へ流れ、その後、導電性テープに接続されている金属フレームへ流れていく。このようにして、電磁波シールド層により、電磁波が遮蔽される。
【特許文献１】特開２００２−２５１１４４号公報
【発明の開示】
【発明が解決しようとする課題】
【０００４】
しかしながら、導電性テープの導電性接合材は、一般に高価である。このため、ＰＤＰ用光学フィルタの製造原価を低減することが困難になっている。
【０００５】
本発明は、このような点を考慮してなされたものであり、比較的安価な導電性ペーストからなる導電性ペースト層を有する導電帯部を備え、製造原価を低減することができるＰＤＰ用光学フィルタを提供することを目的とする。
【課題を解決するための手段】
【０００６】
本発明は、プラズマディスプレイパネルの前面に配置されるプラズマディスプレイパネル用光学フィルタにおいて、基材と、基材のプラズマディスプレイパネル側に設けられた電磁波シールド層と、基材と、電磁波シールド層とを外方から囲んで保持するとともに、前面側に設けられた接地部を有する金属フレームと、電磁波シールド層と金属フレームの接地部との間に延びる導電帯部と、を備え、導電帯部は、導電性ペースト層を有することを特徴とするプラズマディスプレイパネル用光学フィルタである。
【０００７】
本発明は、導電帯部は、電磁波シールド層のプラズマディスプレイパネル側、基材と電磁波シールド層の側面、および基材の前面側に渡って延びていることを特徴とするプラズマディスプレイパネル用光学フィルタである。
【０００８】
本発明は、導電帯部は、電磁波シールド層の全周に渡って延びていることを特徴とするプラズマディスプレイパネル用光学フィルタである。
【０００９】
本発明は、導電帯部は、導電性ペースト層の外周面に電解メッキにより形成されたメッキ層を有することを特徴とするプラズマディスプレイパネル用光学フィルタである。
【００１０】
本発明は、導電帯部は、金属フレームの接地部に、導電性ガスケットを介して接続されていることを特徴とするプラズマディスプレイパネル用光学フィルタである。
【発明の効果】
【００１１】
本発明によれば、基材のプラズマディスプレイパネル側に電磁波シールド層が設けられ、基材と電磁波シールド層が、前面側に設けられた接地部を有する金属フレームにより外方から囲んで保持される。また、導電帯部が、電磁波シールド層と金属フレームの接地部との間に延び、この導電帯部は、導電性接合材料を有する導電性テープよりも比較的安価な導電性ペーストからなる導電性ペースト層を有している。このことにより、電磁波シールド層を、導電帯部を介して金属フレームの接地部に確実に電気的に接続し、電磁波シールド層を接地することができる。このため、プラズマディスプレイパネルから発生する電磁波を確実に遮蔽することができるとともに、プラズマディスプレイパネル用光学フィルタの製造原価を低減することができる。
【発明を実施するための最良の形態】
【００１２】
以下、図面を参照して、本発明の実施の形態について説明する。ここで、図１乃至図４は、本発明におけるプラズマディスプレイパネル（ＰＤＰ）用光学フィルタを示す図である。このうち、図１は、本発明におけるＰＤＰ用光学フィルタの構成を示す図であり、図２は、本発明におけるＰＤＰ用光学フィルタにおいて、電磁波シールド層に導電帯部が設けられた状態を示す平面図である。また図３は、本発明におけるＰＤＰ用光学フィルタの構成を示す部分拡大図であって、便宜的に金属フレームを取り外した図であり、図４は、比較例としてのＰＤＰ用光学フィルタの構成を示す部分拡大図であって、便宜的に金属フレームを取り外した図である。
【００１３】
まず、図１により、本発明によるＰＤＰ用光学フィルタ１について説明する。ここで、ＰＤＰ用光学フィルタ１は、ＰＤＰ２の前面に設置され、ＰＤＰ２の視認性を向上させるものである。
【００１４】
このようなＰＤＰ用光学フィルタ１は、図１に示すように、透明基材７と、透明基材７のＰＤＰ２側に設けられた電磁波シールド層４と、透明基材７の前面側に近赤外線／ネオンカット粘着材層８を介して設けられたＵＶカットフィルム９と、ＵＶカットフィルム９の前面側に設けられた外光反射防止膜１１とを備えている。また、透明基材７と、近赤外線／ネオンカット粘着材層８と、ＵＶカットフィルム９と、外光反射防止膜１１と、電磁波シールド層４とは、前面側に設けられた接地部５ａを有する金属フレーム５により、外方から囲んで保持される。
【００１５】
このうち、透明基材７と、近赤外線／ネオンカット粘着材層８と、ＵＶカットフィルム９と、外光反射防止膜１１と、電磁波シールド層４とにより、後述のように光学フィルタ積層体３が構成される。また、電磁波シールド層４は、ＰＤＰ２から放出される人体に有害な電磁波を効果的に遮蔽するものであり、例えば開口４ａを有する銅メッシュからなっている。
【００１６】
一般的に、電磁波シールド層４としては、接地された金属メッシュが用いられるが、合成樹脂や金属繊維のメッシュに金属被覆したものを用いることもできる。電磁波シールド層４を構成する金属の材質としては、例えば銅、クロム、ニッケル、銀、モリブデン、タングステン、アルミニウムなど電気伝導性に優れ、加工性が高い金属であれば、いずれも使用可能である。
【００１７】
また、図１および図３に示すように、電磁波シールド層４と金属フレーム５の接地部５ａとの間に導電帯部１０が延びている。具体的には、この導電帯部１０は、光学フィルタ積層体３を構成する電磁波シールド層４のＰＤＰ２側、光学フィルタ積層体３の側面、および光学フィルタ積層体３を構成する外光反射防止膜１１の前面側に渡って延びている。さらに、図２に示すように、導電帯部１０は、電磁波シールド層４の全周に渡って延びている。
【００１８】
また、導電帯部１０は、図１および図３に示すように内側に位置する導電性ペースト層１０ａと、導電性ペースト層１０ａの外周面に電解メッキにより形成されたメッキ層１０ｂとを有している。このうちメッキ層１０ｂは、例えば銅メッキにより形成されている。
【００１９】
また、導電性ペースト層１０ａを形成する導電性ペーストは、導電性金属を樹脂中に分散させたものであり、前記導電性金属の比抵抗値が０．５×１０−５Ω・ｃｍ以下となることが好ましい。
【００２０】
前記導電性ペースト層１０ａに用いる導電性金属としては、銀、銅、ニッケル、アルミニウム、金ステンレス、タングステン、クロム、チタン等の金属あるいはこれらの２種以上を組み合わせた合金等を使用できるが、導電性や樹脂分散の容易性、価格の点から、銀、銅、ニッケルが適している。
【００２１】
前記導電性ペースト層１０ａにおいて、導電性金属を分散させる前記樹脂としては、ゴム系樹脂、ポリエーテル系樹脂、ポリエステル系樹脂、ポリ（メタ）アクリル酸エステル系樹脂または共重合体の熱可塑性樹脂を使用することができる。これらの他に、アクリルモノマー、エポキシアクリレート、ウレタンアクリレート、ポリエーテルアクリレート、ポリエステルアクリレート等の重合性モノマーも使用できる。これらの重合性モノマーは前記熱可塑性樹脂と組み合わせて使うことができる。更に、これらの樹脂を汎用溶剤に溶解させるか、または無溶剤のまま金属分散剤等とともに攪拌・混合して使用することができる。
【００２２】
なお、これらの重合性モノマーに、フェノール樹脂、メラミン樹脂、エポキシ樹脂、キシレン樹脂等の熱硬化性樹脂を添加することも可能である。これらのポリマーは必要に応じて２種以上共重合してもよいし、ブレンドして使用することも可能である。これらは通常汎用溶剤に溶解させるか、または無溶剤のまま金属分散材等とともに攪拌・混合して使用することができる。
【００２３】
また、図１および図３に示すように、金属フレーム５の接地部５ａと導電帯部１０との間に、導電性ガスケット６が設けられている。この導電性ガスケット６は、例えば、スポンジ状やゴム状に形成されたポリウレタンからなる芯材と、この芯材の外側を覆う銅−ニッケルメッキポリエステル織布または金属メッシュなどの導電性の材料とからなっている。このことにより、導電帯部１０の導電性ペースト層１０ａは、メッキ層１０ｂおよび導電性ガスケット６を介して金属フレーム５の接地部５ａに接続されている。
【００２４】
次に、各構成部材の材料について述べる。まず、透明基材７としては、ポリエチレンテレフタレート（ＰＥＴ）製フィルム、アクリル製フィルム等のプラスチックフィルム、あるいは強化ガラスまたは半強化ガラス等を用いることができる。
【００２５】
透明基材７を構成するプラスチックフィルムは高透明性と耐熱性を有することが望ましく、高分子成形物および高分子成形物の積層体を用いることができる。透明性に関しては、可視光線透過率が８０％以上であることが有利であって、耐熱性に関してはガラス転移温度が５０℃以上であることが望ましい。とりわけ、ポリエチレンテレフタレート（ＰＥＴ）、ポリサルフォン（ＰＳ）、ポリエーテルスルホン（ＰＥＳ）、ポリスチレン、ポリエチレンナフタレート、ポリアリルレート、ポリエーテルエーテルケトン（ＰＥＥＫ）、ポリカーボネート（ＰＣ）、ポリプロピレン（ＰＰ）、ポリイミド、トリアセチルセルロース（ＴＡＣ）、ポリメタクリル酸メチル（ＰＭＭＡ）等を挙げることができる。これらのうち、ＰＥＴ製のフィルムを用いることが望ましい。
【００２６】
また、近赤外線／ネオンカット粘着材層８は、近赤外線カット機能およびネオンカット機能の双方の機能を有しているが、近赤外線カット機能またはネオンカット機能のいずれか一方のみの機能をもっていてもよい。
【００２７】
また、近赤外線／ネオンカット粘着材層８は、粘着性を有するアクリル樹脂と、アクリル樹脂中に含まれたＮＩＲ吸収色素およびＮｅ吸収色素とを有している。近赤外線／ネオンカット粘着材層８を構成する樹脂としては、アクリル樹脂の他、アクリル系、エステル系、ウレタン系、フッ素系、ポリイミド系、エポキシ系、またはポリウレタンエステル系等の接着剤、あるいは、主成分としてメチル（メタ）アクリレート、エチル（メタ）アクリレート、ブチル（メタ）アクリレート、または２−エチルヘキシル（メタ）アクリレート等を含有したアクリル系粘着剤によって形成された樹脂が挙げられる。なお、「（メタ）アクリレート」とは、アクリレートおよびメタアクリレートの双方を意味する。接合剤層を形成するにあたっては、必要に応じて、その原料にイソシアネート系、ポリチオール系、イミド系等の硬化剤を含有させることができる。ＮＩＲ吸収色素は、８００〜１１００ｎｍの波長の光をカットするようになっており、Ｎｅ吸収色素は、５７０〜６００ｎｍの波長の光をカットするようになっている。また近赤外線／ネオンカット粘着材層８は、ＵＶカットフィルム９を透明基材７の前面側に接着させるものである。
【００２８】
また、ＵＶカットフィルム９は、例えば、紫外線を遮蔽、散乱、または拡散する酸化亜鉛または酸化チタンの微粒子を含む塗料をコーティングすることにより得られる。
【００２９】
また、外光反射防止膜１１は、空気とＰＤＰ用光学フィルタ１との間の屈折率差による反射を防止するとともに、ＰＤＰ２表面の反射を防止するものである。この外光反射防止膜は、光学薄膜を積層することにより構成される。
【００３０】
また、図１および図３に示すように、電磁波シールド層４のＰＤＰ２側に、着色粘着材層１２が設けられている。この着色粘着材層１２は、ＰＤＰ用光学フィルタ１をＰＤＰ２の前面に接着させるものであり、粘着性をもつアクリル樹脂等を用いることができる。
【００３１】
次に、このような構成からなる本実施の形態の作用、すなわちＰＤＰ用光学フィルタ１の製造方法について説明する。
【００３２】
まず、透明基材７の一方（ＰＤＰ２側）の面に電磁波シールド層４を形成し、次に、透明基材７の他方（前面側）の面に近赤外線／ネオンカット粘着材層８を介してＵＶカットフィルム９および外光反射防止膜１１を順次形成する。このようにして透明基材７と、近赤外線／ネオンカット粘着材層８と、ＵＶカットフィルム９と、外光反射防止膜１１と、電磁波シールド層４とからなる光学フィルタ積層体３が得られる。
【００３３】
次に、図１乃至３に示すように、電磁波シールド層４と、金属フレーム５の接地部５ａとを接続するための導電帯部１０が以下のように形成される。すなわち、光学フィルタ積層体３を構成する電磁波シールド層４のＰＤＰ２側、光学フィルタ積層体３の側面、および光学フィルタ積層体３を構成する外光反射防止膜１１の前面側に渡って延びるように、導電性ペーストが塗布され、その後硬化または乾燥されて、導電性ペースト層１０ａが形成される。この場合、導電性ペースト層１０ａは、電磁波シールド層４の全周に渡って延びている。
【００３４】
次に、導電性ペースト層１０ａの外周面に電解メッキが施されメッキ層１０ｂが形成される。このようにして、導電性ペースト層１０ａとメッキ層１０ｂとを有する導電帯部１０が形成される。メッキ層１０ｂを導電性ペースト層１０ａの外周面に形成することにより、メッキ層１０ｂが外方を向いて導電性ガスケット６（後述）に接続するため、導電性ガスケット６と導電性ペースト層１０ａとの間における抵抗値を改善することができる。
【００３５】
次に、電磁波シールド層４のＰＤＰ２側に、着色粘着材層１２が設けられ、光学フィルタ積層体３が、着色粘着材層１２を介してＰＤＰ２の前面に接着される。次に、外光反射防止膜１１前面側の導電帯部１０上に、導電性ガスケット６が当接される。その後、光学フィルタ積層体３を外方から囲んで保持するようにして金属フレーム５が装着される。この場合、金属フレーム５の前面側に設けられた接地部５ａは、導電性ガスケット６に当接され、電磁波シールド層４は、導電帯部１０および導電性ガスケット６を介して金属フレーム５の接地部５ａに接続される。このようにして、本実施の形態によるＰＤＰ用光学フィルタ１が得られる。
【００３６】
このように、本実施の形態によれば、透明基材７のＰＤＰ２側に電磁波シールド層４が設けられ、透明基材７、近赤外線／ネオンカット粘着材層８と、ＵＶカットフィルム９と、外光反射防止膜１１と、電磁波シールド層４とが、前面側に設けられた接地部５ａを有する金属フレーム５により外方から囲んで保持される。また、導電帯部１０が、電磁波シールド層４と、金属フレーム５の接地部５ａとの間に延び、この導電帯部１０は、導電性ペースト層１０ａとメッキ層１０ｂとを有している。このことにより、導電帯部１０を電磁波シールド層４に確実に電気的に接続することができる。さらにこの導電帯部１０は、電磁波シールド層４の全周にわたって電磁波シールド層４と金属フレーム５の接地部５ａとの間に延び、金属フレーム５の接地部５ａに導電性ガスケット６を介して接続される。このため、電磁波シールド層４が確実に接地され、ＰＤＰ２から発生する電磁波を確実に遮蔽することができるとともに、ＰＤＰ用光学フィルタ１の製造原価を低減することができる。
【００３７】
すなわち、比較例としての図４に示すＰＤＰ用光学フィルタ３０において、導電性テープ３１は、導電性接合材３１ａと導電材３１ｂとからなり、導電性テープ３１は、電磁波シールド層４のＰＤＰ２側に導電性接合材３１ａを向けて配置され、導電性テープ３１が電磁波シールド層４に接着されている。このことにより、電磁波シールド層４は、導電性テープ３１の導電性接合材３１ａを介して導電性テープ３１の導電材３１ｂと電気的に接続することができる。しかしながら、導電性接合材３１ａは比較的高価であるため、ＰＤＰ用光学フィルタ３０の製造原価を低減することが困難になっている。
【００３８】
これに対して図１および図３に示すように本発明によれば、導電帯部１０は、導電性ペースト層１０ａと、メッキ層１０ｂとを有し、導電性接合材３０ａよりも比較的安価であり、この導電帯部１０は、電磁波シールド層４と金属フレーム５の接地部５ａとの間に延びている。このことにより、電磁波シールド層４は、導電帯部１０を介して金属フレーム５に確実に電気的に接続される。このように、導電性ペースト層１０ａとメッキ層１０ｂとを有する比較的安価な導電帯部１０を用いているため、ＰＤＰ用光学フィルタ１の製造原価を低減することができる。
【図面の簡単な説明】
【００３９】
【図１】図１は、本発明におけるＰＤＰ用光学フィルタの構成を示す図である。
【図２】図２は、本発明におけるＰＤＰ用光学フィルタにおいて、電磁波シールド層に導電帯部が設けられた状態を示す平面図である。
【図３】図３は、本発明におけるＰＤＰ用光学フィルタの構成を示す部分拡大図であって、便宜的に金属フレームを取り外した図である。
【図４】図４は、比較例としてのＰＤＰ用光学フィルタの構成を示す部分拡大図であって、便宜的に金属フレームを取り外した図である。
【符号の説明】
【００４０】
１      ＰＤＰ用光学フィルタ
２      ＰＤＰ
３      光学フィルタ積層体
４      電磁波シールド層
４ａ    開口
５      金属フレーム
５ａ    接地部
６      導電性ガスケット
７      透明基材
８      近赤外線／ネオンカット粘着材層
９      ＵＶカットフィルム
１０    導電帯部
１０ａ  導電性ペースト層
１０ｂ  メッキ層
１１    外光反射防止膜
１２    着色粘着材層
３０    ＰＤＰ用光学フィルタ
３１    導電性テープ
３１ａ  導電性接合材
３１ｂ  導電材
【図１】
2009092771.tif 000003
【図２】
2009092771.tif 000004
【図３】
2009092771.tif 000005
【図４】
2009092771.tif 000006